(57)【特許請求の範囲】
【請求項１】
光を伝搬する光ファイバと、
前記光ファイバの側面を覆い、前記光ファイバを伝搬する特定波長の光を透過する樹脂層と、
前記樹脂層の外周を覆い、前記樹脂層への外部からの紫外線の照射を防止する紫外線防止層と、
前記紫外線防止層の一部が除去されていることにより、前記特定波長の光を前記紫外線防止層の外部に漏洩させる漏洩窓と、
前記漏洩窓を覆い、前記漏洩窓への外部からの紫外線の照射を妨げ、かつ、移動することで前記漏洩窓を露出可能な遮光カバーと、
を備えることを特徴とする光コード。
【請求項２】
前記遮光カバーは、前記紫外線防止層の外周を取り巻く筒状体であり、
前記筒状体が前記光ファイバの長手方向に移動することで、前記漏洩窓が露出することを特徴とする請求項１に記載の光コード。
【請求項３】
前記遮光カバーは、前記紫外線防止層の外周の周方向の一部を覆う半筒状体であり、
前記半筒状体が前記光ファイバの長手方向に移動することで、前記漏洩窓が露出することを特徴とする請求項１に記載の光コード。
【請求項４】
前記遮光カバーは、前記紫外線防止層の外周の周方向の一部を覆う半筒状体であり、
前記半筒状体が前記光ファイバの長手方向を中心軸として回転移動することで、前記漏洩窓が露出することを特徴とする請求項１に記載の光コード。
【請求項５】
前記遮光カバーの一端を前記紫外線防止層に接続する接続部をさらに備え、
前記接続部を支点として前記遮光カバーの他端が回転移動することで、前記漏洩窓が露出することを特徴とする請求項１に記載の光コード。
【請求項６】
前記漏洩窓が、前記樹脂層の外周の周方向の一部を覆うように設けられている
ことを特徴とする請求項１ないし５のいずれかに記載の光コード。
【発明の詳細な説明】
【技術分野】
【０００１】
本発明は、光ファイバを用いた通信システムにおいて、芯線対照を可能とする光コードに関する。
【背景技術】
【０００２】
光ファイバ通信網を建設・保守するにあたり、マンホール内のクロージャや構内のキャビネットの光ファイバを作業現場で特定する必要がある。すなわち、光ファイバ通信網の建設・保守を行う際には、複数の光ファイバのなかから作業を行う１本の光ファイバを選択して特定する必要がある。この作業は、芯線対照と呼ばれている。
【０００３】
図１２は、芯線対照の作業の一例を示した模式図である。ＯＬＴ（Ｏｐｔｉｃａｌ  Ｌｉｎｅ  Ｔｅｒｍｉｎａｌ）２１１と加入者宅２２２に設置されているＯＮＵ（Ｏｐｔｉｃａｌ  Ｎｅｔｗｏｒｋ  Ｕｎｉｔ）２１６が光ファイバ２１４で接続されており、その中間地点２２１にて光ファイバ２１４を特定する例について説明する。光ファイバ２１４の下部側では、曲げ部２１５を用いて光ファイバ２１４に曲げを加えながら、対照光を光ファイバ２１４の側面から放射させ、これを受光器２２３で検出する。なお曲げ部２１５は、凸部材２１５ａ、凹部材２１５ｂ、２１５ｃで構成されている。又、対照光は、基地局２２０に配置された光源２１２から、光カプラ２１３を介して光ファイバ２１４に入射された光である。
【０００４】
この方法をサービス芯線に適用する場合、通信品質を劣化させずに対照しなげればならないため、長波長側の光ほど漏洩しやすいという特徴を利用して、現在は通信波長１．３１μｍ／１．５５μｍに対して、それらより長波長側の１．６μｍ帯を対照光として用いている（例えば、特許文献１参照。）。
【０００５】
中間地点２２１は、例えば、マンホール内のクロージャや構内のキャビネットである。光ファイバ２１４は通常樹脂層で覆われており、この樹脂層は紫外線が照射されると劣化する。このため、基地局２２０から中間地点２２１に至るまでの光ファイバ２１４や、中間地点２２１から加入者宅２２２に設置されているＯＮＵ２１６までの光ファイバ２１４は、紫外線を防止することのできる外皮で樹脂層の周囲が覆われている。すなわち、曲げ部２１５に配置される光ファイバ２１４を除いては、炭素等の紫外線を防止することのできる物質を含む外皮が樹脂層の周囲を覆っている（例えば、特許文献２参照。）。しかし、クロージャやキャビネット内に設置される光ファイバ２１４は、曲げ部２１５として利用するために、遮光性のある外皮が被覆されていなかった。
【特許文献１】特開平６−２２１９５８号公報
【特許文献２】特開平１１−６０２８６号公報
【発明の開示】
【発明が解決しようとする課題】
【０００６】
クロージャやキャビネットに収容されている光コードは、遮光性のある外皮が被覆されていないが、従来は、クロージャやキャビネットを開ける機会が少なかったので、光コードをこれらに収容することで樹脂層の劣化を防ぐことができていた。
【０００７】
しかし、光ファイバを用いた通信システムのサービスの多様化に伴い、クロージャやキャビネットを開ける機会が増加している。芯線対照の作業中は、クロージャやキャビネットを開放する。このため、クロージャやキャビネットに収容されている光コードのほぼ全体に紫外線が照射されるので、光コードが劣化する速度が速まっている。
【０００８】
そこで、本発明は、芯線対照が可能であり、かつ、外部からの紫外線の照射による樹脂層の劣化を防止することができる光コードの提供を目的とする。
【課題を解決するための手段】
【０００９】
本発明に係る光コードは、樹脂層の周囲を覆う紫外線防止層の少なくとも一部に、対照光を漏洩する漏洩窓を設けて、そこから対照光を受光することを特徴とする。
【００１１】
ここで、光コードは、クラッドの周囲を樹脂で覆った光ファイバ芯線を含む。又、クラッドの周囲を樹脂及びシースで覆った光ファイバコードを含む。又、クラッドの周囲を樹脂で覆ったものを複数有する光ファイバテープ芯線を含む。又、クラッドの周囲を樹脂及びシースで覆った光ファイバコードを複数有する光ファイバテープコードを含む。
【００１３】
本発明に係る光コードは、光を伝搬する光ファイバと、前記光ファイバの側面を覆い、前記光ファイバを伝搬する特定波長の光を透過する樹脂層と、前記樹脂層の外周を覆い、前記樹脂層への外部からの紫外線の照射を防止する紫外線防止層と、前記紫外線防止層の一部が除去されていることにより、前記特定波長の光を前記紫外線防止層の外部に漏洩させる漏洩窓と、前記漏洩窓を覆い、前記漏洩窓への外部からの紫外線の照射を妨げ、かつ、移動することで前記漏洩窓を露出可能な遮光カバーと、を備える。遮光カバーを設けることで、芯線対照を行わないときにおける漏洩窓からの樹脂層への紫外線の照射を防止することができる。
【００１４】
本発明に係る光コードでは、前記遮光カバーは、前記紫外線防止層の外周を取り巻く筒状体であり、前記筒状体が前記光ファイバの長手方向に移動することで、前記漏洩窓が露出することが好ましい。遮光カバーを漏洩窓の配置されている部分からずらすことができるので、漏洩窓を曲げやすくすることができる。又、遮光カバーが筒状体であるので、遮光カバーが光コードから脱落することがなく、遮光カバーの紛失を防ぐことができる。
【００１５】
本発明に係る光コードでは、前記遮光カバーは、前記紫外線防止層の外周の周方向の一部を覆う半筒状体であり、前記半筒状体が前記光ファイバの長手方向に移動することで、前記漏洩窓が露出することが好ましい。漏洩窓が樹脂層の外周の周方向の一部を覆う場合は、半筒状体の遮光カバーにて漏洩窓を覆うことができる。遮光カバーが半筒状体であることで、紫外線防止層の外周への取り付けが容易になる。又、遮光カバーが半筒状体であることで、１つの紫外線防止層の内側に複数の光ファイバが配置される場合であっても、光ファイバごとに漏洩窓を露出させることができる。
【００１６】
本発明に係る光コードでは、前記遮光カバーは、前記紫外線防止層の外周の周方向の一部を覆う半筒状体であり、前記半筒状体が前記光ファイバの長手方向を中心軸として回転移動することで、前記漏洩窓が露出することが好ましい。漏洩窓が樹脂層の外周の周方向の一部を覆う場合は、半筒状体の遮光カバーにて漏洩窓を覆うことができる。遮光カバーを光ファイバの長手方向へ移動させる必要がないので、漏洩窓と遮光カバーを一体化することができる。このため光コードの作製が容易である。又、光コードの外径を均一にすることができるので、光コードの収容などの取り扱いが容易になる。
【００１７】
本発明に係る光コードでは、前記遮光カバーの一端を前記紫外線防止層に接続する接続部をさらに備え、前記接続部を支点として前記遮光カバーの他端が回転移動することで、前記漏洩窓が露出することが好ましい。接続部で紫外線防止層と一体化されているので、遮光カバーの装着や交換が容易である。また、遮光カバーの一端が紫外線防止層に接続されているので、遮光カバーが光コードから脱落することがなく、遮光カバーの紛失を防ぐことができる。
【発明の効果】
【００１８】
本発明に係る光コードは、漏洩窓以外は紫外線防止層で覆われているので、クロージャやキャビネットに収容されている光ファイバを覆う樹脂層への紫外線の照射を防止することができる。漏洩窓が特定波長の光を漏洩するので、芯線対照を行うことができる。ここで、漏洩窓を設けることで、外部からの紫外線が照射される樹脂層の面積を少なくすることができる。また、紫外線を防止する道具を用いて簡単に漏洩窓からの樹脂層への紫外線の照射を防止することができる。
【発明を実施するための最良の形態】
【００１９】
添付の図面を参照して本発明の実施の形態を説明する。以下に説明する実施の形態は本発明の構成の例であり、本発明は、以下の実施の形態に制限されるものではない。
【００２０】
（実施形態１）
図１は、本実施形態に係る光コードの第１形態を示す模式図である。図１に示す光コード９１は、光コード９１の長手方向の側面と、その一部の縦断面を示す。光コード９１は、光を伝搬する光ファイバ１１と、光ファイバ１１の側面を覆い、光ファイバ１１を伝搬する特定波長の光を透過する樹脂層１２と、樹脂層１２の外周を覆い、樹脂層１２への外部からの紫外線の照射を防止する紫外線防止層１３と、紫外線防止層１３の少なくとも一部に設けられ、前記特定波長の光を紫外線防止層１３の外部に漏洩させる漏洩窓１４と、を備える。
【００２１】
図２は、光コードの横断面図であり、（ａ）はＡ−Ａ’断面を示し、（ｂ）はＢ−Ｂ’断面を示す。樹脂層１２は光ファイバ１１の長手方向の側面の外周を覆い、紫外線防止層１３は樹脂層１２の外周を覆っている。紫外線防止層１３が光コード９１の外周面に配置されている。図２（ｂ）に示すように、漏洩窓１４は、紫外線防止層１３に代わって配置されている。漏洩窓１４と樹脂層１２との間には層が設けられておらず、光ファイバ１１から漏洩する光は、樹脂層１２を介して直接漏洩窓１４に透過される。なお、漏洩窓１４と樹脂層１２との間に樹脂層１２とは異なる層を設ける場合は、その層は特定波長の光を透過することが好ましい。なお、本実施形態において透過とは、透過率が０％ではないことをいい、例えば１０％以上１００％以下であることが好ましい。以下においても同様である。
【００２２】
図３は、光コードの具体例を示す横断面図である。図３に示す光コード２００は、コア５１の外周を、クラッド５２、バッファ層５３、被覆５４、補強材５５、シース５６が順に覆っている。コア５１及びクラッド５２は、例えばガラスであり、コア５１中で光が伝搬される。光ファイバ（図１の符号１１）は、例えば、光が伝搬されるコア５１であり、コア５１中で光を伝搬させるクラッド５２を含んでいてもよい。バッファ層５３は、例えば、紫外線硬化樹脂であり、樹脂層（図１の符号１２）がこれにあたる。
【００２３】
被覆５４は、例えば、柔軟性を有する樹脂である。柔軟性を有する樹脂としては、例えば、ナイロン樹脂、ポリエステルノンハロゲン樹脂、ポリアミド樹脂がある。補強材５５は、所定の引張弾性率及び曲げ剛性を有するものであり、例えば、アルカリガラスローピング又はガラスローピング等のガラス系繊維、カーボンファイバー等の炭素系繊維、ケブラー（登録商標）等のアラミド繊維又はこれらの複合体がある。シース５６は、例えば、ポリ塩化ビニル、ポリエステルエラストマ又はポリアラミド等の熱可塑性樹脂である。
【００２４】
被覆５４、補強材５５又はシース５６或いはこれらの２以上の層が、紫外線防止層（図１の符号１３）となる。例えば、シース５６に紫外線を防止する成分が含まれていれば、シース５６が紫外線防止層（図１の符号１３）となる。又、補強材５５に炭素繊維が含まれ、これによって紫外線を防止している場合には、補強材５５が紫外線防止層（図１の符号１３）となる。又、被覆５４、補強材５５及びシース５６の２以上が渾然一体となった外皮としてバッファ層５３を覆っており、外皮に紫外線を防止する機能を有するものが含まれている場合は、その外皮が紫外線防止層（図１の符号１３）となる。
【００２５】
本実施形態に係る光コードは、クラッド５２の周囲をバッファ層５３で覆った光ファイバ芯線を含む。又、本実施形態に係る光コードは、クラッド５２の周囲をバッファ層５３及びシース５６で覆った光ファイバコードを含む。又、本実施形態に係る光コードは、クラッド５２の周囲をバッファ層５３で覆ったものを複数有する光ファイバテープ芯線を含む。又、本実施形態に係る光コードは、クラッド５２の周囲をバッファ層５３及びシース５６で覆った光ファイバコードを複数有する光ファイバテープコードを含む。
【００２６】
図１に示す光ファイバ１１は、光を伝搬する。例えば、伝搬する光に対して透明なものであり、例えば、石英ガラス等の酸化物ガラス、樹脂又はセラミックスである。樹脂は、例えばフッ素樹脂又はアクリル樹脂がある。光ファイバ１１は、さらに、対照光を伝搬するものである。対照光は、通信用の波長帯よりも長波長の光であり、例えば、通信用の波長帯が１．５５μｍの場合の１．６μｍ帯である。
【００２７】
図１に示す樹脂層１２は、光ファイバ１１を伝搬する特定波長の光を透過する樹脂で形成された層である。特定波長の光は対照光である。樹脂は、例えば、紫外線硬化樹脂である。紫外線硬化樹脂としては、例えば、シリコン樹脂、エポキシ樹脂がある。又、光カチオン重合開始剤又は無機質微小粒径フィラーを主成分とする樹脂でもよい。
【００２８】
図１に示す紫外線防止層１３は、樹脂層１２への外部からの紫外線の照射を防止するものである。例えば、紫外線を吸収又は反射する成分の含まれていることで、紫外線の透過を防止することができるものである。紫外線を吸収する成分は例えば黒色の物質があり、例えば、カーボンブラック、合成ゴム又はテフロン（登録商標）等の黒色の有機化合物がある。紫外線を反射する成分は、例えば、酸化チタン又は酸化亜鉛等の白色の物質がある。紫外線防止層１３は、光コード９１の外周面の層であることが好ましく、これにより樹脂層１２以外の層についても紫外線による劣化を防ぐことができる。
【００２９】
図１に示す漏洩窓１４は、前記特定波長の光を紫外線防止層１３の外部に漏洩させる。漏洩窓１４は、例えば、紫外線防止層１３で覆われていない、樹脂層１２の露出した部分である。又、漏洩窓１４は、紫外線を防止する成分が含まれておらず、特定波長の光を透過することのできる外皮であってもよい。又、漏洩窓１４は特定波長の光を透過する光学部材が取り付けられていてもよい。光学部材としては、例えば、赤外線を透過する部材であり、このようなものに、Ｓｉ、石英ガラス、Ｇｅ、ＺｎＳｅ、ＺｎＳ又はＭｇＦ２或いは赤外線を透過する樹脂がある。赤外線を透過する樹脂は、例えば、メタクリル樹脂がある。又、漏洩窓１４は、特定波長を除く波長に対しては透明でないことが好ましく、例えば波長フィルタが設けられていることが好ましい。漏洩窓１４は、傷がつきにくいことが好ましく、表面に硬質炭素（ＤＬＣ：Ｄｉａｍｏｎｄ  Ｌｉｋｅ  Ｃａｒｂｏｎ）が含まれていることが好ましい。又、芯線対照が可能な程度に柔軟であることが好ましい。
【００３０】
図１に示す漏洩窓１４は、紫外線防止層１３の少なくとも一部に設けられている。例えば、光コード９１の長手方向に１箇所設けられていてもよいし、複数箇所に設けられていてもよい。漏洩窓１４は、光コード９１の長手方向に一定間隔に設けられていてもよい。又、漏洩窓１４の面積は小さいことが好ましい。
【００３１】
本実施形態における光コードの製造方法の一例について説明する。まず、光ファイバ母材から線引して光ファイバ１１を作製する。次に、液状の紫外線硬化樹脂が満たされたダイスに光ファイバ１１を通し、紫外線硬化樹脂を硬化させて樹脂層１２を形成する。次に、紫外線防止層１３の原料となる液状の樹脂が満たされたダイスに、樹脂層１２を形成したものを通し、ダイスの通過後のものを加熱して紫外線防止層１３を硬化させる。次に、液状の紫外線防止層１３の原料が満たされたダイスに樹脂層１２を通し、樹脂層１２の周囲に紫外線防止層１３を形成する。漏洩窓１４を設ける部分の紫外線防止層１３を剥がして樹脂層１２を露出させ、漏洩窓１４を形成する。
【００３２】
本実施形態における光コードの使用例について図４を用いて説明する。図４は、芯線対照の一例を示す模式図である。光コード９１を漏洩窓１４の設けられている部分で折り曲げ、漏洩窓１４から漏洩した対照光１０１を受光素子１０２で受光する。このとき、漏洩窓１４の設けられている透明な部分が受光素子１０２の位置となるように芯線対照器をセットすることで、対照光１０１の漏洩した漏洩光を受光素子１０２で受光することができる。
【００３３】
図１に示す光コード９１は、漏洩窓１４以外は紫外線防止層１３で覆われているので、漏洩窓１４を除いて樹脂層１２を紫外線から保護することができる。これにより、芯線対照の可能な光コード９１であっても、樹脂層１２の紫外線の照射による劣化を防ぐことができる。又、漏洩窓１４を設けることで、外部からの紫外線が照射される樹脂層１２の面積を少なくすることができる。紫外線によって劣化する部分を少なくすることができるので遮光性があるトレイに収容しやすく、芯線対照を行うとき以外は漏洩窓１４のある透明部分はトレイに収容することで、光コード９１の樹脂層１２が紫外線に照射されることを防ぐことができる。また、漏洩窓１４の面積が小さいので、遮光用のテープを用いて漏洩窓１４を塞ぐなどして、樹脂層１２への紫外線の照射を簡単に防止することができる。
【００３４】
図５は、光コードの第２形態であり、（ａ）は模式図であり、（ｂ）はＣ−Ｃ’断面図である。図５（ａ）に示す光コード９２は、紫外線防止層１３の外周のうちの周方向の一部に漏洩窓１４が設けられている。漏洩窓１４は、樹脂層１２の周囲の全方向ではなく、樹脂層１２の外周の周方向の一部を覆うように設けられている。漏洩窓１４は、図５（ｂ）に示すように、紫外線防止層１３と漏洩窓１４で形成される層が樹脂層１２を取り巻いている。漏洩窓１４は、図５（ｂ）に示すように、樹脂層１２の外周の半分以下を覆うように設けられていることが好ましい。漏洩窓１４は、漏洩した対照光を導くレンズや光ガイド等の光学部品が設けられていてもよい。光学部品を設けることで、漏洩窓１４の面積が小さいときでも、対照光を光コード９２の外部まで導くことができる。
【００３５】
漏洩窓１４の設けられている透明な部分が受光素子（図４の符号１０２）の位置となるように芯線対照器をセットすることで、対照光が光コード９２の外部に漏洩した漏洩光を受光素子（図４の符号１０２）で受光することができる。芯線対照を行わないときは、クロージャやキャビネット内に設けられている遮光性を有するトレイに漏洩窓１４を収容することで、光コード９２の樹脂層１２を紫外線から保護することができる。
【００３６】
光コードの第１形態に比べ、漏洩窓１４の面積が小さいので、外部から照射される紫外線にさらされる樹脂層１２の面積を小さくすることができる。又、紫外線から保護すべき部分を容易にトレイに収容することができる。なお、紫外線防止層１３と漏洩窓１４の厚みは均一であることが好ましく、これにより光コードの表面を滑らかにし、芯線対照を行う際の取り扱いを容易にすることができる。
【００３７】
（実施形態２）
図１に示す光コード９１及び図５（ａ）に示す光コード９２では、漏洩窓１４を覆い、漏洩窓１４への外部からの紫外線の照射を妨げ、かつ、移動することで漏洩窓１４を露出可能な遮光カバー（不図示）をさらに備えることが好ましい。遮光カバーは、紫外線を吸収又は反射して紫外線の透過を防止するものである。紫外線を吸収又は反射するものは、紫外線防止層１３で説明したものがある。遮光カバーは、漏洩窓１４を覆うものであり、漏洩窓１４よりも広い範囲に配置されることが好ましい。すなわち漏洩窓１４及び漏洩窓１４の周囲の紫外線防止層１３を覆うことが好ましい。このため、遮光カバーは、光コードの柔軟性を確保するため、柔軟な部材で形成されていることが好ましい。柔軟な部材としては、例えば、光コードの被覆（図３の符号５４）又はシース（図３の符号５６）に用いられる部材と同様の部材を用いることができる。遮光カバーを設けることで、漏洩窓１４からの樹脂層１２への紫外線の照射を防止することができる。遮光カバーは、開閉可能であることが好ましく、遮光カバーを開いて漏洩窓１４を露出させ、遮光カバーを閉じて漏洩窓１４を紫外線から保護する。ここで、露出とは、光ファイバを伝搬する特定波長の光を紫外線防止層１３の外部に漏洩させることができる状態である。遮光カバーの具体例を以下に説明する。
【００３８】
図６は、光コードの第３形態を示す模式図である。図６に示す光コード９３は、図１に示す光コード９１が、遮光カバーの第１形態である遮光カバー１５をさらに備えている。遮光カバー１５は、紫外線防止層１３の外周の長手方向の一部のうち、周方向の全部を取り巻く筒状体である。遮光カバー１５が方向Ｈに移動することで遮光カバー１５’の位置に配置され、漏洩窓１４を覆う。方向Ｈは、光コード９３の長手方向すなわち光ファイバの長手方向である。そして、遮光カバー１５が光ファイバの長手方向Ｈに移動することで遮光カバー１５の位置に配置され、漏洩窓１４を露出させる。遮光カバー１５を漏洩窓１４の配置されている部分からずらすことができるので、漏洩窓１４を曲げやすくすることができる。また、遮光カバー１５が筒状体であるので、遮光カバー１５が光コード９３から脱落することがなく、遮光カバーの紛失を防ぐことができる。
【００３９】
芯線対照を行うときは、遮光性をもつ遮光カバー１５を方向Ｈにスライドして開き、透明な漏洩窓１４が受光素子の位置となるように芯線対照器をセットすることで、対照光が光コードの外部に漏洩した漏洩光を受光素子で受光することができる。芯線対照を行わないときは、遮光性をもつ遮光カバー１５を遮光カバー１５’の位置まで方向Ｈにスライドして、遮光カバー１５を閉じることで、紫外線を遮光し、光コード９３の樹脂層（図１の符号１２）を紫外線から保護することができる。
【００４０】
遮光カバー１５を方向Ｈに移動しやすいよう、遮光カバー１５の内径は紫外線防止層１３の外径よりも大きいことが好ましい。又、遮光カバー１５は、紫外線防止層１３に固定ができるよう、内径が小さくなる方向に戻り力が働く弾性体であることが好ましい。例えば、筒状体は、円筒を形成する曲板であることが好ましい。筒状体が曲板で形成されることで、遮光カバー１５を紫外線防止層１３に容易に着脱することができる。又、方向Ｈへの遮光カバー１５の移動を妨げる紫外線防止層１３との固定手段を設けることが好ましい。
【００４１】
図７は、光コードの第４形態であり、（ａ）は模式図であり、（ｂ）はＤ−Ｄ’断面図である。図７（ａ）に示す光コード９４は、図５（ａ）に示す光コード９２が、遮光カバーの第１形態である遮光カバー１５をさらに備えている。この場合、遮光カバー１５は、図７（ｂ）に示す遮光カバー１５’のように、紫外線防止層１３の外周の周方向の一部を覆う半筒状体であることが好ましい。例えば、図７（ｂ）に示す遮光カバー１５’のように、方向Ｈに沿ったスリット３２が設けられており、紫外線防止層１３の周囲の一部を取り囲む筒状体の一部となっていることが好ましい。ここで、方向Ｈは、光コード９４の長手方向である。又、半筒状体は、例えば筒状体の周方向の半分である。半筒状体は、図７（ｂ）に示すように、筒状体の周方向の半分以上であることが好ましく、これにより例えば遮光カバー１５の形状によって光コードに固定することができる。又、半筒状体は、筒状体の周方向の半分以上であることが好ましく、これにより、例えば光ファイバテープ芯線や光ファイバテープコードのような１つの紫外線防止層１３の内側に複数の光ファイバ（図１の符号１１）が配置される場合であっても、光ファイバごとに漏洩窓１４を露出させることができる。
【００４２】
遮光カバー１５は、弾性体で形成されており、方向Ｈの横断面の形状がＣ字形状となっていることが好ましい。遮光カバー１５にスリット３２が設けられていることで、スリット３２から遮光カバー１５の内側に図５（ａ）に示す光コード９２の部分を差し込み、紫外線防止層１３の外周を覆うように遮光カバー１５を取り付けることができるので、光コード９４の製造を容易にすることができる。
【００４３】
図８は、光コードの第５形態であり、（ａ）は模式図であり、（ｂ）はＥ−Ｅ’断面図である。図８（ａ）に示す光コード９５は、図５（ａ）に示す光コード９２が、遮光カバーの第２形態である遮光カバー１６をさらに備えている。遮光カバー１６は、紫外線防止層１３の外周の周方向の一部を覆う半筒状体である。光コード９５は、筒状体２１の周方向の一部に特定の波長を透過する透過窓３１を備え、遮光カバー１６と透過窓３１とで筒状体２１を構成している。透過窓３１は、例えば、特定波長の光に対して透明な部材で形成されているものである。透過窓３１は、漏洩窓１４と同じ光学部材を用いることができる。透過窓３１は、何も配置されていない空隙であってもよい。
【００４４】
光コード９５では、筒状体２１が方向Ｉに回転移動することで、漏洩窓１４が露出することが好ましい。方向Ｉは、光コード９５の長手方向すなわち光ファイバ（不図示）の長手方向を中心軸とする回転方向である。筒状体２１の回転移動によって遮光カバー１６を開閉するので、方向Ｈへ筒状体２１を移動させる必要がない。ここで、方向Ｈは、光コード９５の長手方向すなわち光ファイバの長手方向である。このため、漏洩窓１４と遮光カバー１６を一体化して取り付けることが容易になるので、光コード９５の作製が容易である。又、光コード９５の外径を均一にすることができるので、光コードの収容などの取り扱いが容易になる。
【００４５】
光コード９５では、さらに、筒状体２１が、方向Ｈに移動することで、漏洩窓１４が露出することが好ましい。方向Ｈは、光コード９５の長手方向すなわち光ファイバの長手方向である。光コード９５の動作は、図６に示す光コード９３の動作と同様である。
【００４６】
筒状体２１は、紫外線防止層１３との表面摩擦が少ないよう、筒状体２１の内径は紫外線防止層１３の外径よりも大きいことが好ましい。又、筒状体２１は、紫外線防止層１３に固定ができるよう、内径が小さくなる方向に戻り力が働く弾性体であることが好ましい。例えば、筒状体は、円筒形を形成する曲板であることが好ましい。筒状体２１が曲板で形成されることで、筒状体２１を紫外線防止層１３に容易に着脱することができる。又、筒状体２１に紫外線防止層１３との固定手段を設けることが好ましい。
【００４７】
図９は、光コードの第６形態を示す模式図である。図９に示す光コード９６は、図１に示す光コード９１が、遮光カバーの第３形態である遮光カバー１７ａ及び遮光カバー１７ｂをさらに備えている。光コード９６は、遮光カバー１７ａ及び遮光カバー１７ｂの一端を紫外線防止層１３に接続する接続部２２をさらに備える。遮光カバー１７ａ及び遮光カバー１７ｂの一端は、例えば、図９に示す光コード９６の長手方向の一端である。遮光カバー１７ａ及び遮光カバー１７ｂが遮光カバー１７ａ’及び遮光カバー１７ｂ’の位置に配置されているとき、遮光カバー１７ａ及び遮光カバー１７ｂは漏洩窓１４を覆う。そして、接続部２２を支点として、接続部２２と接続されていない遮光カバー１７ａ及び遮光カバー１７ｂの他端のそれぞれが、接続部２２を支点として方向Ｊに回転移動することで、漏洩窓１４が露出する。方向Ｊは、接続部２２を回転中心とする、遮光カバー１７ａ及び遮光カバー１７ｂの他端のそれぞれが、紫外線防止層１３の表面から、接続部２２を通る光コード９６の長手方向に垂直な面に向かう方向である。なお、遮光カバーの第３形態において、遮光カバーの数は１以上であればよく、漏洩窓１４を１つの遮光カバーで覆ってもよい。又、漏洩窓１４を３つ以上の遮光カバーで覆ってもよい。
【００４８】
接続部２２は、遮光カバー１７ａ及び遮光カバー１７ｂが紫外線防止層１３に接続されている部分である。接続は、例えば、溶着又は接着によるものがある。又、固定具によるものがある。固定具としては、例えば、ネジ等の機械的な固定、内径が小さくなる方向に戻り力が働くバネによる固定、粘着テープによる固定がある。
【００４９】
遮光カバー１７ａ及び遮光カバー１７ｂは、漏洩窓１４を覆っている状態では、漏洩窓１４が露出し難くなっていることが好ましい。例えば、遮光カバー１７ａ及び遮光カバー１７ｂは柔軟性を有する部材で形成されており、遮光カバー１７ａ及び遮光カバー１７ｂが紫外線防止層１３に貼りつくことが好ましい。又、遮光カバー１７ａ及び遮光カバー１７ｂの少なくとも一部が重なっていることが好ましい。又、遮光カバー１７ａと遮光カバー１７ｂが互いに固定可能であることが好ましい。又、遮光カバー１７ａと遮光カバー１７ｂが円筒形状を形成し、紫外線防止層１３の外周を覆うことが好ましい。
【００５０】
芯線対照を行わないときは、遮光カバー１７ａと遮光カバー１７ｂは遮光カバー１７ａ’と遮光カバー１７ｂ’の位置に配置されている。芯線対照を行うときは、遮光性をもつ遮光カバー１７ａと遮光カバー１７ｂを裂くようにして開き、漏洩窓１４の設けられている透明な部分が受光素子（図４の符号１０２）の位置となるように芯線対照器をセットすることで、対照光が光コードの外部に漏洩した漏洩光を受光素子で受光することができる。芯線対照を行わないときは、遮光カバー１７ａと遮光カバー１７ｂを遮光カバー１７ａ’と遮光カバー１７ｂ’の位置まで方向Ｊに回転移動させて、遮光カバー１７ａと遮光カバー１７ｂを閉じることで、紫外線を遮光し、光コード９６内の樹脂層（図１の符号１２）を紫外線から保護することができる。
【００５１】
図１０は、光コードの第７形態を示す模式図である。図１０に示す光コード９７は、図５（ａ）に示す光コード９２が、遮光カバーの第３形態である遮光カバー１７ａ及び遮光カバー１７ｂをさらに備えている。光コード９７は、漏洩窓１４を除いては、図９に示す光コード９６と同様である。
【００５２】
図１１は、光コードの第８形態であり、（ａ）は模式図であり、（ｂ）はＦ−Ｆ’断面図である。図１１（ａ）に示す光コード９８は、図１０に示す遮光カバー１７ａが漏洩窓１４を覆っている。漏洩窓１４は、樹脂層１２の周囲の周方向の全部ではなく、周方向の一部を覆うように設けられている。このため、遮光カバー１７ａは、漏洩窓１４の配置されている部分の周方向の全部を取り囲むことなく漏洩窓１４を覆うことができる。遮光カバー１７ａは、光コードの第６形態のように紫外線防止層１３の外周を周回させる必要がないので、製造が容易である。又、遮光カバー１７ａの設けられている部分が、漏洩窓１４の配置されている部分の外周の周方向の一部であることで、テープコードのように１つのシース（図３の符号５６）の中に複数の光ファイバ（図１の符号１１）が配置されているときに、光ファイバごとに漏洩窓１４を設けることができる。これにより、紫外線防止層１３の内側に光ファイバが複数配置される場合であっても、芯線対照を行う光ファイバ以外の光ファイバの外周の樹脂層への紫外線の照射を防止することができる。
【００５３】
なお、光コードの第１形態から光コードの第８形態において、光コードは、テープコードのように１つのシース（図３の符号５６）の中に複数の光ファイバ（図１の符号１１）が配置されていてもよい。この場合は、１つのシース（図３の符号５６）の中に配置されている光ファイバごとに漏洩窓１４を設けることが好ましい。複数の漏洩窓１４に対して共通の遮光カバーとしてもよいし、漏洩窓１４ごとに遮光カバーを設けてもよい。漏洩窓１４ごとに遮光カバーを設ければ、紫外線防止層１３の内側に光ファイバが複数配置される場合であっても、芯線対照を行う光ファイバ以外の光ファイバの外周の樹脂層（図１の符号１２）への紫外線の照射を防止することができる。
【産業上の利用可能性】
【００５４】
本発明は、紫外線から保護することができるので、紫外線の当たる可能性のある場所に配置することもできる。よって、光コードの屋内配線に応用することもできる。
【図面の簡単な説明】
【００５５】
【図１】本実施形態に係る光コードの第１形態を示す模式図である。
【図２】光コードの横断面図であり、（ａ）はＡ−Ａ’断面を示し、（ｂ）はＢ−Ｂ’断面を示す。
【図３】光コードの具体例を示す横断面図である。
【図４】芯線対照の一例を示す模式図である。
【図５】光コードの第２形態であり、（ａ）は模式図であり、（ｂ）はＣ−Ｃ’断面図である。
【図６】光コードの第３形態を示す模式図である。
【図７】光コードの第４形態であり、（ａ）は模式図であり、（ｂ）はＤ−Ｄ’断面図である。
【図８】光コードの第５形態であり、（ａ）は模式図であり、（ｂ）はＥ−Ｅ’断面図である。
【図９】光コードの第６形態を示す模式図である。
【図１０】光コードの第７形態を示す模式図である。
【図１１】光コードの第８形態であり、（ａ）は模式図であり、（ｂ）はＦ−Ｆ’断面図である。
【図１２】芯線対照の作業の一例を示した模式図である。
【符号の説明】
【００５６】
１１  光ファイバ
１２  樹脂層
１３  紫外線防止層
１４  漏洩窓
１５、１６、１７  遮光カバー
２１  筒状体
２２  接続部
３１  透過窓
３２  スリット
５１  コア
５２  クラッド
５３  バッファ層
５４  被覆
５５  補強材
５６  シース
９１、９２、９３、９４、９５、９６、９７、９８、２００  光コード
Ｈ、Ｉ、Ｊ  遮光カバーの移動方向
１０１  対照光
１０２  受光素子
２１１  ＯＬＴ
２１２  光源
２１３  光カプラ
２１４  光ファイバ
２１５  曲げ部
２１６  ＯＮＵ
２２０  基地局
２２１  中間地点
２２２  加入者宅
２２３  受光器
【図１】
0004728132.tif 000002
【図２】
0004728132.tif 000003
【図３】
0004728132.tif 000004
【図４】
0004728132.tif 000005
【図５】
0004728132.tif 000006
【図６】
0004728132.tif 000007
【図７】
0004728132.tif 000008
【図８】
0004728132.tif 000009
【図９】
0004728132.tif 000010
【図１０】
0004728132.tif 000011
【図１１】
0004728132.tif 000012
【図１２】
0004728132.tif 000013